(57)【要約】      （修正有）【課題】駆動ヘッドが回転することができ、かつ任意の位置に定位することができる角度定位を備える自在回転スパナを提供する。【解決手段】本考案は、取っ手１０と、駆動ヘッド２０と緊迫装置３０を備え、取っ手は握り個所１１と挟み個所１２を含み、挟み個所は二つの挟み脚１４を備え、二つの挟み脚の末端はそれぞれ挟み部１６であり、その中の一つの挟み部は孔と定位部を備え、別の挟み部には孔が設けられてある。駆動ヘッドの一側には軸と定位部が突き出してあり、別の一側には軸が突き出し、二本の軸はそれぞれ二つの孔に取り付けられ、駆動ヘッドの定位部は取っ手の挟み部の定位部に対応して選択的に噛み合わせる。緊迫装置は二つの挟み脚に設けられ、緊迫装置は二つの挟み脚間の距離を制御して二つの挟み部が駆動ヘッドを挟むようにし、かつ駆動ヘッドの定位部は挟み脚の定位部に定位して定位の効能を生じる。【選択図】図２
0003153785.tif 000002
【実用新案登録請求の範囲】
【請求項１】
角度定位を備える自在回転スパナであって、
握り個所と挟み個所を備え、挟み個所は二つの挟み脚を備え、二つの挟み脚はそれぞれ孔を備える挟み部を形成し、最少一つの挟み部に定位部が設けられてある取っ手と、
両側にそれぞれ軸が突き出し、かつ最少一側に定位部が設けられ、二つの軸はそれぞれ二つの挟み脚の孔に取り付けられ、定位部は取っ手の挟み部の定位部に対応し、かつ選択的に噛み合う駆動ヘッドと、
二つの挟み脚に設けられ、二つの挟み脚間の距離を制御して二つの挟み部が駆動ヘッドを挟むようにし、かつ駆動ヘッドの定位部は挟み脚の定位部に定位して定位の効能を生じる緊迫装置と、を備えることを特徴とする、角度定位を備える自在回転スパナ。
【請求項２】
前記二つの挟み部にはともに定位部が設けられ、前記駆動ヘッドの両側にはともに定位部が設けられ、挟み部の定位部は挟み部の内壁面に設けられ、駆動ヘッドの定位部は駆動ヘッドの周面に設けられ、挟み部の定位部は孔に連通し、駆動ヘッドの定位部は駆動ヘッドの周面と軸に連接し、取っ手の定位部は孔を取り捲る複数個の凹部に設けられ、駆動ヘッドの定位部は軸を取り捲る複数個の凸部に設けられ、凹凸の組み合わせによって完全噛み合い定位を生じることを特徴とする、請求項１記載の角度定位を備える自在回転スパナ。
【請求項３】
前記緊迫装置は結合部材と弾き部材を備え、結合部材は一つの挟み脚と弾き部材に取り付けられ、かつ結合部材は別の挟み脚に締め付けられて結合部材と弾き部材は同調の関係を形成し、弾き部材を弾き動かして更に結合部材を制御し、結合部材は二つの挟み脚を緊迫しまたは緩め、二つの挟み脚の孔の近くにはそれぞれ当て孔と結合孔が設けられ、結合部材の一端はヘッド部であり、別の一端は結合部であり、ヘッド部は当て孔に当て止められ、結合部は結合孔に結合し、弾き部材には制限孔が設けられ、制限孔は駆動部に取り付けられて連動の効能を生じることを特徴とする、請求項２記載の角度定位を備える自在回転スパナ。
【請求項４】
前記取っ手の二つの挟み脚の間には互いに連通する溝と収納空間と容部が設けられ、溝は二つの挟み脚が相対して近寄るまたは遠ざかることを提供し、収納空間と容部は溝に連通し、収納空間は駆動ヘッドを収納し、容部は緊迫装置を収納し、容部は溝と収納空間の間に位置することを特徴とする、請求項１記載の角度定位を備える自在回転スパナ。
【考案の詳細な説明】
【技術分野】
【０００１】
本考案は角度定位を備える自在回転スパナに係り、特に駆動ヘッドが回転することができ、かつ任意の位置に定位することができるスパナに関する。
【背景技術】
【０００２】
特許文献１のアメリカ合衆国特許第７２４６５４４号「ＲＯＴＡＲＹ  ＷＲＥＮＣＨ」を参照ください。それは回転スパナを開示し、それには取っ手Ａ２０と駆動ヘッドＡ３０を備え、取っ手Ａ２０の一端は二つの凸耳に形成され、二つの凸耳にはそれぞれねじ孔Ａ２１１、Ａ２１２が設けられ、駆動ヘッドＡ３０の両側にはそれぞれ螺紋軸Ａ３２、Ａ３３が突き出し、駆動ヘッドＡ３０の螺紋軸Ａ３２、Ａ３３は取っ手Ａ２０のねじ孔Ａ２１１、Ａ２１２に締め付けられ、駆動ヘッドＡ３０が取っ手Ａ２０から離脱しない効能が達成される。
【０００３】
ところが、特許文献１の設計は駆動ヘッドが取っ手に締め付けられ、定位の効能を生じることができ、使用者が駆動ヘッドと取っ手を定位を備えない角度に回した場合、取っ手と駆動ヘッドは任意に回転し、定位の効能を備えなくなる。付録文献の設計は取っ手と駆動ヘッドの結合を達成したが、それは取っ手と駆動ヘッドが相対して締め付けられたときに限って定位の効能を備え、設計上に於いて欠点が存在し、それを改善する必要がある。
【先行技術文献】
【特許文献】
【０００４】
【特許文献１】アメリカ合衆国特許第７２４６５４４号明細書
【考案の概要】
【考案が解決しようとする課題】
【０００５】
本考案の角度定位を備える自在回転スパナは従来技術の各種欠点に基づき、考案者は本考案によって使用者の期待に符合する、角度定位を備え、かつ定位の効能が良好であるスパナを提出する。
【課題を解決するための手段】
【０００６】
上記課題を解決するために、本考案は角度定位を備える自在回転スパナ(ｓｐａｎｎｅｒ)であって、握り個所と挟み個所を備え、挟み個所は二つの挟み脚を備え、二つの挟み脚はそれぞれ孔を備える挟み部を形成し、最少一つの挟み部に定位部が設けられてある取っ手と、両側にそれぞれ軸が突き出し、かつ最少一側に定位部が設けられ、二つの軸はそれぞれ二つの挟み脚の孔に取り付けられ、定位部は取っ手の挟み部の定位部に対応し、かつ選択的に噛み合う駆動ヘッド(ｈｅａｄ)と、二つの挟み脚に設けられ、二つの挟み脚間の距離を制御して二つの挟み部が駆動ヘッドを挟むようにし、かつ駆動ヘッドの定位部は挟み脚の定位部に定位して定位の効能を生じる緊迫装置とを備えることを特徴とする、角度定位を備える自在回転スパナである。
【０００７】
具体的には、本考案の角度定位を備える自在回転スパナは取っ手の挟み個所により、挟みの効能が生じて駆動ヘッドを挟み、駆動ヘッドは取っ手に相対して任意の角度調整を行うことができ、同時に緊迫装置を操作し、挟み個所に挟みの効能が生じ、挟み個所の定位部は駆動ヘッドの定位部に定位し、駆動ヘッドと取っ手の相対角度の確実定位が達成される。本考案の定位効能は良好であり、取っ手の定位部が駆動ヘッドの定位部に完全噛み合わすことによって全体噛み合わせの効能が達成され、操作時は取っ手と駆動ヘッドは依然確実に定位し、定位不確実にならない。また、本考案の操作は簡単であり、緊迫装置を弾き動かすだけで挟み個所が駆動ヘッドを挟む効能を達成することができる。このほか、本考案の部材は単純かつ簡単で、加工が容易かつ組み立てが容易である長所を備える。
【考案の効果】
【０００８】
上述をまとめると、本考案には次の長所を備える。
１．本考案『角度定位を備える自在回転スパナ』は取っ手の挟み個所の二つの挟み部によって確実に駆動ヘッドを挟み、かつ挟み部の定位部と駆動ヘッドの定位部は選択的に定位し、更に角度が定位したかを制御する。
２．本考案『角度定位を備える自在回転スパナ』の取っ手の定位部と駆動ヘッドの定位部が全体噛み合わせに現れ、取っ手と駆動ヘッドは確実定位の効能を達成することができる。
３．本考案『角度定位を備える自在回転スパナ』は部材が単純かつ簡単で、加工が容易かつ組み立てが容易である長所を備える。
【図面の簡単な説明】
【０００９】
【図１】本考案第一実施例の立体外観図である。
【図２】本考案第一実施例の立体分解図である。
【図３】本考案の調整位置に於ける意表図である。
【図４】本考案の調整位置に於ける拡大意表図である。
【図５】本考案の角度調整の作動図である。
【図６】本考案の角度調整の作動図である。
【図７】本考案の定位位置に於ける意表図である。
【図８】本考案の定位位置に於ける拡大意表図である。
【図９】本考案第二実施例の立体分解図である。
【図１０】本考案第二実施例の意表図である。
【図１１】本考案第三実施例の立体分解図である。
【考案を実施するための形態】
【００１０】
以下、本考案の実施の形態を図面に基づいて説明する。
【実施例１】
【００１１】
図１と図２、本考案の角度定位を備える自在回転スパナの第一実施例の立体外観図と立体分解図を参照ください。本実施例の角度定位を備える自在回転スパナは取っ手１０、駆動ヘッド２０と緊迫装置３０を含む。
【００１２】
取っ手１０は握り個所１１と挟み個所１２を備え、握り個所１１は握る効能を提供する。挟み個所１２の一端は結合端１３であり、他の一端は二つの挟み脚１４を形成し、二つの挟み脚１４の開始端は結合端１３に近隣し、かつＶ字形に現れる溝１５が設けられ、溝１５は二つの挟み脚１４の間に位置し、二つの挟み脚１４の末端は結合端１３から遠ざかってそれぞれ挟み部１６を形成し、二つの挟み部１６はＵ字形に近似して収納空間１７を形成し、その中の一つの挟み部１６は孔１６１と定位部１６２を備え、別の挟み部１６には孔１６１が設けられ、その孔１６１は貫通孔である。すなわち、前述二つの挟み脚１４は各自孔１６１を備える挟み部１６を形成し、かつ最少一つの挟み部１６に定位部１６２が設けられる。二つの挟み部１６にはそれぞれ内壁面１６３が設けられ、二つの内壁面１６３は駆動ヘッド２０に近づきまたは接触し、定位部１６２は挟み部１６の内壁面１６３に設けられ、挟み部１６の定位部１６２は孔１６１に連通し、定位部１６２は孔１６１の円心を取り捲る複数個の凹部に実施される。挟み脚１４の挟み部１６近隣にはそれぞれ当て孔１４１と結合孔１４２が設けられ、当て孔１４１は階段孔であり、結合孔１４２はねじ孔であり、二つの挟み脚１４の間は容部１８が形成され、容部１８はちょうど溝１５と収納空間１７の間に位置し、言い換えれば、溝１５、容部１８と収納空間１７は互いに連通する。
【００１３】
駆動ヘッド２０の一端は駆動端２１であり、駆動端２１の反対側に弾き盤２２が設けられ、弾き盤２２は駆動端２１の回転の方向変換を制御することができる。駆動ヘッド２０の周面一側には軸２３と定位部２４が突き出し、他の一側には軸２３が突き出している。すなわち、駆動ヘッド２０の両側にはそれぞれ軸２３が突き出され、かつ駆動ヘッド２０の最少一側には定位部２４が設けられてある。駆動ヘッド２０の定位部２４は駆動ヘッド２０の周面に設けられ、駆動ヘッド２０の定位部２４は駆動ヘッド２０の周面と軸２３を連接し、かつ定位部２４は軸２３を取り捲る複数個の凸部に実施される。駆動ヘッド２０は取っ手１０の収納空間１７に設けられ、二つの軸２３は挟み部１６の孔１６１に枢設され、かつ軸２３の定位部２４は孔１６１の定位部１６２に対応し、駆動ヘッド２０は取っ手１０に枢設され、かつ駆動ヘッド２０と取っ手１０は相対して自由に回転することができる。
【００１４】
緊迫装置３０は結合部材３１と弾き部材３２を備え、結合部材３１はボルト(ｂｏｌｔ)であり、結合部材３１の一端はヘッド部３１１で、ヘッド部３１１の端面には駆動孔３１２が設けられ、結合部材３１の他の一端は結合部３１３であり、結合部３１３には外ねじが設けられ、ヘッド部３１１と結合部３１３の間には連動部３１４が設けられ、連動部３１４の断面は円形でなく、本実施例では多辺形に設けられてある。結合部材３１は取っ手１０の二つの挟み脚１４と弾き部材３２に取り付けられる。結合部材３１のヘッド部３１１は挟み脚１４の当て孔１４１に当て止められ、連動部３１４は弾き部材３２の制限孔３２２に取り付けられ、弾き部材３２は結合部材３１を動かして回転させ、結合部材３１は挟み脚１４の結合孔１４２に結合されて一緒に締め付けられ、緊迫装置３０と取っ手１０はねじ付け方式によって快速制御の目的を達成することができる。このほか、使用者は工具によって駆動孔３１２を操作し、結合部材３１を結合孔１４２に締め付けることができる。
【００１５】
図３と図４、本考案の角度定位を備える自在回転スパナが調整位置にある場合の意表図を参照ください。本考案の角度定位を備える自在回転スパナによると、二つの挟み脚１４間の溝１５により、二つの挟み脚１４は相対して近寄りまたは遠ざかる弾性の発生を備える。緊迫装置３０の弾き部材３２の弾き部３２１を操作し、弾き部３２１を第一方向へ回転させ、弾き部材３２は結合部材３１を動かして第一方向へ回転し、二つの挟み脚１４は弛み状態に現れ、かつ二つの挟み脚１４はますます遠ざかり、駆動ヘッド２０の定位部２４と挟み部１６の定位部１６２には隙間が形成され、定位部２４と定位部１６２は噛み合わなくなる。
【００１６】
同時に図５と図６、本考案の角度定位を備える自在回転スパナの角度調整の作動図を参照ください。本考案の角度定位を備える自在回転スパナが調整位置にある場合、駆動ヘッド２０と取っ手１０は相対して回転することができ、使用者が任意の角度に於いても操作でき、かつ駆動ヘッド２０と取っ手１０の定位部２４、１６２は全体噛み合わせが生じ、更に進んで確実定位の効能が達成される。
【００１７】
図７と図８、本考案の角度定位を備える自在回転スパナが定位位置にある場合の意表図を参照ください。緊迫装置３０の弾き部材３２の弾き部３２１を操作し、弾き部３２１を第二方向へ回転させ、弾き部材３２は結合部材３１を動かして第二方向へ回転し、二つの挟み脚１４は緊迫状態に現れ、かつ二つの挟み脚１４はますます近づき、取っ手１０の挟み部１６は駆動ヘッド２０を挟み、駆動ヘッド２０の定位部２４と挟み部１６の定位部１６２は噛み合い、駆動ヘッド２０と取っ手１０は相対して回転できなくなり、この場合、駆動ヘッド２０の定位部２４と挟み部１６の定位部１６２は完全噛み合わせに現れ、言い換えれば、駆動ヘッド２０の定位部２４の各凸部はすべて挟み部１６の定位部１６２の各凹に噛み合い、完全な凹凸組み合わせに達し、更に挟み部１６が駆動ヘッド２０を挟むと、駆動ヘッド２０は回転しなくなり、確実定位の効能が達成される。
【実施例２】
【００１８】
図９と図１０、本考案の角度定位を備える自在回転スパナの第二実施例の立体分解図と意表図を参照ください。第二実施例の角度定位を備える自在回転スパナと第一実施例の差異は、取っ手１０と駆動ヘッド２０の定位部１６２、２４であり、その他の実施方式はすべて第一実施例と同じであるので、ここでは余計な説明をしない。取っ手１０の二つの挟み部１６の孔１６１内にはともに定位部１６２が設けられ、定位部１６２は孔１６１を取り捲く複数個の凹部に実施される。
【００１９】
駆動ヘッド２０周縁の両側にはそれぞれ軸２３が突き出し、二つの軸２３がそれぞれ駆動ヘッド２０と接する個所には定位部２４が設けられ、定位部２４は軸２３を取り捲く複数個の凸部に実施される。
【００２０】
緊迫装置３０を第一位置へ操作し、取っ手１０の定位部１６２と駆動ヘッド２０の定位部２４は相対して遠ざかり、駆動ヘッド２０と取っ手１０は相対して適合な操作角度へ回転することができる。
【００２１】
緊迫装置３０を第二位置へ操作し、取っ手１０の定位部１６２と駆動ヘッド２０の定位部２４は噛み合い、駆動ヘッド２０と取っ手１０に挟みの効能が生じて相対して回転することができなくなる。本実施例の二つの挟み部１６にはともに定位部１６２が設けられ、かつ駆動ヘッド２０二つの軸２３にも定位部２４が設けられ、二つの挟み部１６の定位部１６２がそれぞれ二つの軸２３の定位部２４に定位した場合、定位効能は更に明らかになる。
【実施例３】
【００２２】
図１１本考案の角度定位を備える自在回転スパナの第三実施例の立体分解図を参照ください。第三実施例の角度定位を備える自在回転スパナと第二実施例の差異は、駆動ヘッド４０であり、第三実施例の駆動ヘッド４０の一端は駆動端４１であり、駆動端４１の反対側に弾きボタン(ｂｕｔｔｏｎ)４２が設けられ、弾きボタン４２は駆動端４１を制御して回転の向きを変えることができ、駆動ヘッド４０周縁の両側にはそれぞれ軸４３が突き出し、二つの軸４３がそれぞれ駆動ヘッド４０と接した個所には定位部４４が設けられ、定位部４４は軸４３を取り捲く複数個の凸部に実施される。駆動ヘッド４０が取っ手１０に枢接される方式は第二実施例と同じであるので、ここでは余計な説明をしない。
【符号の説明】
【００２３】
（本考案）
１０        取っ手
１１        握り個所
１２        挟み個所
１３        結合端
１４        挟み脚
１４１      当て孔
１４２      結合孔
１５        溝
１６        挟み部
１６１      孔
１６２      定位部
１６３      内壁面
１７        収納空間
１８        容部
２０        駆動ヘッド
２１        駆動端
２２        弾き盤
２３        軸
２４        定位部
３０        緊迫装置
３１        結合部材
３１１      ヘッド部
３１２      駆動孔
３１３      結合部
３１４      連動部
３２        弾き部材
３２１      弾き部
３２２      制限孔
４０        駆動ヘッド
４１        駆動端
４２        弾きボタン
４３        軸
４４        定位部
【図１】
0003153785.tif 000003
【図２】
0003153785.tif 000004
【図３】
0003153785.tif 000005
【図４】
0003153785.tif 000006
【図５】
0003153785.tif 000007
【図６】
0003153785.tif 000008
【図７】
0003153785.tif 000009
【図８】
0003153785.tif 000010
【図９】
0003153785.tif 000011
【図１０】
0003153785.tif 000012
【図１１】
0003153785.tif 000013